(57)【要約】【課題】従来から多くの測定器が備えている表示部を活かしつつ、使用者が確実に測定器の仕様通りの性能で測定を開始することができる測定器を実現する。【解決手段】測定結果などを表示する表示部を有する測定器において、測定回路部により一定の測定精度を得るために必要とされるウォームアップの所要時間を記憶する記憶部と、前記ウォームアップ開始からの経過時間を測定する経過時間測定部と、前記記憶部に記憶されたウォームアップの所要時間と前記経過時間測定部で測定された経過時間とからウォームアップの残り時間を計算する残り時間計算部とを有し、前記残り時間計算部により計算されたウォームアップの残り時間を前記表示部に表示することを特徴とする。【選択図】図１
2007147292.tif 000002
【特許請求の範囲】
【請求項１】
測定結果などを表示する表示部を有する測定器において、
測定回路部により一定の測定精度を得るために必要とされるウォームアップの所要時間を記憶する記憶部と、
前記ウォームアップ開始からの経過時間を測定する経過時間測定部と、
前記記憶部に記憶されたウォームアップの所要時間と前記経過時間測定部で測定された経過時間とからウォームアップの残り時間を計算する残り時間計算部とを有し、
前記残り時間計算部により計算されたウォームアップの残り時間を前記表示部に表示することを特徴とする測定器。
【請求項２】
前記経過時間測定部は、電源の投入時からウォームアップの経過時間の測定を開始することを特徴とする請求項１に記載の測定器。
【請求項３】
前記表示部は、円グラフを用いて前記ウォームアップ時間の残り時間を表示することを特徴とする請求項１または２に記載の測定器。
【請求項４】
前記表示部は、棒グラフを用いて前記ウォームアップ時間の残り時間を表示することを特徴とする請求項１または２に記載の測定器。
【請求項５】
前記表示部は、特定の模様またはパターンの増加または減少により前記ウォームアップ時間の残り時間を表示することを特徴とする請求項１または２に記載の測定器。
【請求項６】
前記表示部は、前記ウォームアップの残り時間が終了するまでは測定結果を表示しないことを特徴とする請求項１乃至５のいずれかに記載の測定器。
【請求項７】
前記測定器は、電力測定器であることを特徴とする請求項１乃至６のいずれかに記載の測定器。
【発明の詳細な説明】
【技術分野】
【０００１】
本発明は、たとえば電力測定器など、測定結果を表示するための表示部を有する測定器において、ウォームアップ終了までの残り時間を表示する技術に関するものである。
【背景技術】
【０００２】
機器のウォームアップ時間を表示する例としては、次のようなものがある。
【０００３】
【特許文献１】特開２００２−２８７２４９号公報
【０００４】
これは、映像を投影表示するプロジェクタにおいて、そのウォームアップ時間を表示するものである。
【０００５】
しかしながら、上記特許文献に示された装置は、光源ランプのウォームアップ時間に関するものであり、測定器などの電子回路のウォームアップ時間に関するものではない。
【０００６】
測定器などの電子機器の内部回路では、抵抗をはじめとする電子部品が使用されている。これらの電子部品は通常温度特性を有しており、温度の変化によって特性が変化するものである。以下に電力測定器を例にあげて説明する。
【０００７】
電力は電圧と電流により求められる。従って、電力測定器には一般的に電圧Ｖと電流Ｉが入力される。
【０００８】
図４は従来の電力測定器の一例を示すブロック図である。測定器入力回路部１００において、電圧入力回路部１１０に電圧Ｖが入力されると、分圧器１１１とオペアンプ１１２で正規化される。その後、電圧用Ａ／Ｄ変換器１１３でデジタル値に変換され、測定器保護用の絶縁器１１４を通してＤＳＰ２００に入力される。同様に、電流入力回路部１２０に電流Ｉが入力されると、シャント抵抗１２１で電圧信号に変換され、オペアンプ１２２で正規化される。その後、電流用Ａ／Ｄ変換器１２３でデジタル値に変換され、絶縁器１２４を通してＤＳＰ２００に入力される。ＤＳＰ２００では電圧値、電流値の入力を受けて演算処理を行い、電力などの測定値としてＣＰＵ３００に出力する。その後、測定値はＣＰＵ３００から液晶画面などの外部出力手段（図示せず）により使用者に提供される。
【０００９】
ここで、温度特性を有する部分の一例として、電圧入力回路部１１０の分圧器１１１と電流入力回路部１２０のシャント抵抗１２１がある。これらは抵抗で構成されており、一般的に、抵抗は抵抗自身の温度が低いと電流を通し易くなるため抵抗値が下がり、温度が高いと電流を通しにくくなるため抵抗値が上がる。抵抗値が変動すれば、オームの法則「Ｖ＝ＩＲ」により、オペアンプ１１２、１２２に入力される電圧変換値が変動する。
【００１０】
電力測定器は、測定器が冷えた状態から電源を投入すると、測定器自身の温度が温度の飽和点に達するまで上昇し続ける。そのため、同一の電圧電流入力を測定していても、電源投入直後の測定器が冷えている状態での測定結果と、電源投入後ある程度時間が経過して温度の飽和点に達して温度が安定してからの測定結果とでは、入力回路の温度特性により誤差が生じる。
【００１１】
図５は電力測定器の測定値と時間の関係を示す図である。図中、Ｙは測定値、Ｔは時間、Ａは真の電力値である。電源投入時を時間＝０としたとき、時間の経過とともに測定値は上昇し、徐々に真の値Ａに近づいていく。同じ電力を計測していても、電源投入から間もない時刻Ｔ１での測定値Ａ１と、電源投入からある程度の時間が経過した時刻Ｔ２での測定値Ａ２とは異なる。
【００１２】
電力測定器のみならず、ほぼ全ての測定機器の回路は温度特性を有し、温度特性の影響を排除して正確な測定を行うためには、測定器の温度が飽和して定常状態になるまでウォームアップを行ってから測定を開始することが必要である。また、測定精度をはじめとする測定器の性能は、測定器が定常状態にあるときにその仕様を満たすよう設計されるのが通常であり、使用者がその仕様通りの性能を得るためにもウォームアップが必要である。
【００１３】
そこで、従来より、ウォームアップ中であることを示すＬＥＤを点消灯させたり、“ウォームアップ中”や“調整中”といった文字を表示させることにより、測定器がウォームアップ中であることを示すということが行われていた。
【発明の開示】
【発明が解決しようとする課題】
【００１４】
しかし、上記のようなＬＥＤの点消灯や“ウォームアップ中”、“調整中”という文字の表示だけでは、ウォームアップ時間があとどれくらいあるのか知ることができなかったため、ウォームアップ終了までの残り時間を知りたいという要望があった。
【００１５】
本発明は、上記のような従来方法の欠点をなくし、ウォームアップの残り時間を知らせるとともに、従来から多くの測定器が備えている表示部を活かしつつ、使用者が確実に測定器の仕様通りの性能で測定を開始することができる測定器を実現することを目的としたものである。
【課題を解決するための手段】
【００１６】
上記のような目的を達成するために、本発明の請求項１では、
測定結果などを表示する表示部を有する測定器において、
測定回路部により一定の測定精度を得るために必要とされるウォームアップの所要時間を記憶する記憶部と、
前記ウォームアップ開始からの経過時間を測定する経過時間測定部と、
前記記憶部に記憶されたウォームアップの所要時間と前記経過時間測定部で測定された経過時間とからウォームアップの残り時間を計算する残り時間計算部とを有し、
前記残り時間計算部により計算されたウォームアップの残り時間を前記表示部に表示することを特徴とする。
【００１７】
請求項２では、請求項１に記載の測定器において、前記経過時間測定部は、電源の投入時からウォームアップの経過時間の測定を開始することを特徴とする。
【００１８】
請求項３では、請求項１または２に記載の測定器において、前記表示部は、円グラフを用いて前記ウォームアップ時間の残り時間を表示することを特徴とする。
【００１９】
請求項４では、請求項１または２に記載の測定器において、前記表示部は、棒グラフを用いて前記ウォームアップ時間の残り時間を表示することを特徴とする。
【００２０】
請求項５では、請求項１または２に記載の測定器において、前記表示部は、特定の模様またはパターンの増加または減少により前記ウォームアップ時間の残り時間を表示することを特徴とする。
【００２１】
請求項６では、請求項１乃至５のいずれかに記載の測定器において、前記表示部は、前記ウォームアップの残り時間が終了するまでは測定結果を表示しないことを特徴とする。
【００２２】
請求項７では、請求項１乃至６のいずれかに記載の測定器において、前記測定器は、電力測定器であることを特徴とする。
【発明の効果】
【００２３】
測定器にウォームアップの残り時間を表示することにより、使用者は、測定器がウォームアップ中であることだけでなく、ウォームアップ時間があとどれくらいあるのかを知ることができる。また、ウォームアップの残り時間を数値表示するだけでなく、棒グラフや円グラフなどを用いて表示することにより、ウォームアップの残り時間の直感的な把握が容易となる。
【００２４】
また、ウォームアップが終了するまで測定結果を表示しないこととすれば、測定器が仕様通りの測定精度を発揮できるようになる前に測定が開始されるのを防止することができる。
【００２５】
さらに、通常測定器には測定結果を表示するための表示部が備えられているため、ウォームアップの残り時間表示に従来からある表示部を活用することができ、新たに表示部を追加するなどの大幅な設計変更を回避することができる。
【００２６】
このように、測定器にウォームアップの残り時間を表示させることにより、従来から多くの測定器が備えている表示部を活かしつつ、使用者が確実に測定器の仕様通りの性能で測定を開始することができる測定器を実現することができる。
【発明を実施するための最良の形態】
【００２７】
以下、図面を用いて本発明の測定器を、電力計を例にあげて説明する。
【実施例１】
【００２８】
図１は、本発明による測定器（電力計）の一実施例を示すブロック図であり、電圧入力回路部１１、電流入力回路部１２、電圧入力回路部１１および電流入力回路部１２からなる測定器入力回路部１０、測定器入力回路部１０の出力信号をもとに演算処理を行う信号処理部２０、ＣＰＵ３０、ウォームアップ開始からの経過時間を測定するタイマー４０、測定器のＯＮ／ＯＦＦをするスイッチ５０、スイッチ５０がＯＮ入力されたときに測定器全体に電源を供給する電源部６０、測定値やウォームアップの残り時間を表示する表示部７０、ウォームアップ時間を記憶する記憶部８０から構成される。
【００２９】
電圧入力回路部１１の詳細な構成は前記図４の電圧入力回路部１１０と同様であり、入力電圧をデジタル値に変換して出力する。また、電流入力回路部１２の詳細な構成は前記図４の電流入力回路部１２０と同様であり、入力電流をデジタル値に変換して出力する。
【００３０】
信号処理部２０では、デジタル値に変換された電圧値、電流値を受けて演算処理を行い、電力などの測定値としてＣＰＵ３０に出力する。ＣＰＵ３０では、信号処理部２０から入力される測定値を表示部７０に表示するための制御や、タイマー４０の制御、タイマー４０の出力からウォームアップの残り時間の計算を行う。記憶部８０は、ウォームアップ時間を任意に設定可能であるものとする。
【００３１】
図２は、本発明による測定器（電力計）の動作ステップを示すフローチャートである。
測定器の電源投入によりＣＰＵ３０が起動される（Ｓ１，Ｓ２）。
ＣＰＵ３０を初期化した後、タイマー４０を初期化する（Ｓ３）。
タイマー４０を用いて経過時間を測定する（Ｓ４）。
Ｓ４で測定した経過時間から設定されたウォームアップ時間の残り時間を計算する（Ｓ５）。
表示部７０の表示をＳ５で求めたウォームアップ残り時間に更新する（Ｓ６）。
設定されたウォームアップ時間が終了した場合は、経過時間の測定を終了する。それ以外の場合にはＳ４〜Ｓ６の動作を繰り返す（Ｓ７）。ウォームアップ終了後は、ウォームアップの表示を終了して通常の測定値を表示するモードに切り換え、測定可能な状態にする。
【００３２】
ウォームアップが終了するまで電力測定を開始しない、または測定結果を表示しないこととすれば、真の値と測定値との誤差が大きい期間であるにもかかわらず、使用者が誤って測定器の使用を開始したり、測定値を読み取ったりしてしまうことがない。
【００３３】
図３は、表示部７０に表示するウォームアップ残り時間の表示例である。ウォームアップの残り時間を、（ａ）数値表示する例、（ｂ）円グラフの減少表示による例、（ｃ）棒グラフの減少表示による例、（ｄ）模様やパターンの減少表示による例、（ｅ）円グラフの増加表示による例、（ｆ）棒グラフの増加表示による例、（ｇ）模様やパターンの増加表示による例を示している。
【００３４】
ウォームアップの残り時間の表示は、図３に示した表示例のいずれか１つの方法により表示するものであってもよいし、例えば（ａ）数値表示と（ｂ）円グラフの減少表示を同時に表示するなど、複数の方法を組み合わせて表示するものであってもよい。
【図面の簡単な説明】
【００３５】
【図１】図１は本発明の測定器（電力計）の一実施例を示すブロック図。
【図２】図２は本発明の測定器（電力計）の動作ステップを示すフローチャート。
【図３】図３はウォームアップ残り時間の表示例を示す図。
【図４】図４は従来の電力測定器の一例を示すブロック図。
【図５】図５は電力測定器の測定値と時間の関係を示す図。
【符号の説明】
【００３６】
１０        測定器入力回路
１１０      電圧入力回路部
１２０      電流入力回路部
２０        信号処理部（ＤＳＰ）
３０        ＣＰＵ
４０        タイマー
５０        スイッチ
６０        電源部
７０        表示部
８０        記憶部
【図１】
2007147292.tif 000003
【図２】
2007147292.tif 000004
【図３】
2007147292.tif 000005
【図４】
2007147292.tif 000006
【図５】
2007147292.tif 000007